(57)【要約】【課題】椀状の食器に収容されている内容物を冷却して、乳幼児等にとって食べやすくするための食器内容物冷却器具であって、冷却剤の冷却が容易な食器内容物冷却器具を提供すること。【解決手段】本発明は、別体の椀状食器に収容された内容物を冷却するための食器内容物冷却器具１である。食器内容物冷却器具１は、椀状食器を出し入れするために略円状に設けられた上部開口部５ａと、上部開口部５ａから底面６に向かうに従ってすり鉢状に傾斜した内壁面５と、内壁面５に沿った形状を有し、内壁面５の上部から垂れ下がるように、取り外し可能に取り付けられる冷却剤部４とを備える。【選択図】図１
2009268587.tif 000002
【特許請求の範囲】
【請求項１】
別体の椀状食器に収容された内容物を冷却するための食器内容物冷却器具であって、
前記椀状食器を出し入れするために略円状に設けられた上部開口部と、
前記上部開口部から底面に向かうに従ってすり鉢状に傾斜した内壁面と、
前記内壁面に沿った形状を有し、前記内壁面の上部から垂れ下がるように、取り外し可能に取り付けられる冷却剤部とを備える、食器内容物冷却器具。
【請求項２】
前記内壁面は、上端部から切り欠かれた切欠部を含むことを特徴とする、請求項１に記載の食器内容物冷却器具。
【請求項３】
底面から筒状に立脚し、前記内壁面の下端で前記内壁面を支える筒状部をさらに備える、請求項１〜２のいずれかに記載の食器内容物冷却器具。
【請求項４】
前記冷却剤部は、前記内壁面に沿って縦方向に形成された複数の小袋を、前記内壁面に沿って横に連ねた形状を有し、前記各小袋内に冷却剤が封入されていることを特徴とする、請求項１〜３のいずれかに記載の食器内容物冷却器具。
【請求項５】
前記冷却剤部は、前記内壁面に沿って横長に形成された複数の小袋を、前記内壁面の上部から下部に向かうに従って縦に連ねた形状を有し、前記各小袋内に冷却剤が封入されていることを特徴とする、請求項１〜３のいずれかに記載の食器内容物冷却器具。
【請求項６】
前記冷却剤部は、前記内壁面の上部に形成された取り付け口に挿入される複数のスナップを含むことを特徴とする、請求項１〜３のいずれかに記載の食器内容物冷却器具。
【請求項７】
前記冷却剤部は、前記内壁面の上端辺に引っ掛けられる複数のフックを含むことを特徴とする、請求項１〜３のいずれかに記載の食器内容物冷却器具。
【請求項８】
前記冷却剤部は、本体に形成された突出部に挿入される複数の穴を含むことを特徴とする、請求項１〜３のいずれかに記載の食器内容物冷却器具。
【発明の詳細な説明】
【技術分野】
【０００１】
本発明は、食品を冷まして、乳幼児等にとって食べやすくするための食器内容物冷却器具に関する。
【背景技術】
【０００２】
従来、乳幼児に食事をさせる際、スプーンに取った食料に息を吹きかけることによって、当該食料を冷まして、乳幼児に与えていた。
【特許文献１】実開平２−４７９６４号公報
【特許文献２】特開２００１−８２８４２号公報
【特許文献３】実開昭６２−９０５８１号公報
【特許文献４】実開昭５８−１４８２６号公報
【特許文献５】実開昭５９−１０３６９４号公報
【発明の開示】
【発明が解決しようとする課題】
【０００３】
しかし、スプーンを使って、食品に息を吹きかけて食品を冷ますのは、疲れる作業である。特に、ある程度自身で食事ができるようになっている乳幼児であれば、食器内の食品の全体が冷めていれば、このような作業は不要であるはずにも関わらず、いちいち、息を吹きかけて食品を冷ますのは、非効率的である。特に、通常、味噌汁やスープ、おかゆ、離乳食などは、椀状の食器に入れられていることが多く、このような椀状の食器に入れられた食品を楽に冷ますことができる器具があれば、とても便利である。ところが、このような器具は、従来存在しなかった。
【０００４】
特許文献１には、内底面に定着する大きさのスポンジ等の緩衝材を置き、当該緩衝材の上部にビニール樹脂体の封入蓄冷材を載置し、当該封入蓄冷材の上に、大皿の外底面を載せて、当該大皿を冷却するための皿受保冷容器が開示されている。しかし、特許文献１に記載の皿受保冷容器は、大皿に盛られた食品を冷たい状態に維持する器具であり、また、椀状の食器に入れられた食品を冷ますという用途には使用できない。
【０００５】
特許文献２には、回転寿司などで使用される飲食物搬送装置の循環搬送路上に載置可能な容器本体内に、断熱空間を設けて、当該断熱空間に保冷材を格納している保冷容器が開示されている。しかし、特許文献２に記載されている保冷容器は、収容された食品を冷たい状態に維持する器具であり、また、椀状の食器に入れられた食品を冷ますという用途には使用できない。
【０００６】
特許文献３には、分解組立可能な二重構造になったジョッキの内部間隙に蓄冷材を入れて、ジョッキ内部の飲料物が冷めないようにした器具が開示されている。特許文献３に記載されている器具も、椀状の食器に入れられた食品を冷ますという用途には使用できない。
【０００７】
特許文献４及び５には、椀状の容器が開示されている。しかし、特許文献４及び５に記載の容器は、いずれも、容器の底部分に蓄冷材が封入されているので、当該蓄冷材を冷やしておくために、容器全体を、冷蔵庫又は冷凍庫に入れなければならない。ところが、容器全体を、冷蔵庫又は冷凍庫に入れるのは、場所を取り、邪魔である。
【０００８】
それゆえ、本発明の目的は、椀状の食器に収容されている内容物を冷却して、乳幼児等にとって食べやすくするための食器内容物冷却器具であって、冷却剤の冷却が容易な食器内容物冷却器具を提供することである。
【課題を解決するための手段】
【０００９】
上記課題を解決するために、本発明は、以下のような特徴を有する。本発明は、別体の椀状食器に収容された内容物を冷却するための食器内容物冷却器具であって、椀状食器を出し入れするために略円状に設けられた上部開口部と、上部開口部から底面に向かうに従ってすり鉢状に傾斜した内壁面と、内壁面に沿った形状を有し、内壁面の上部から垂れ下がるように、取り外し可能に取り付けられる冷却剤部とを備える。
【００１０】
好ましくは、内壁面は、上端部から切り欠かれた切欠部を含むとよい。
【００１１】
好ましくは、底面から筒状に立脚し、内壁面の下端で内壁面を支える筒状部をさらに備えるとよい。
【００１２】
好ましくは、冷却剤部は、内壁面に沿って縦方向に形成された複数の小袋を、内壁面に沿って横に連ねた形状を有し、各小袋内に冷却剤が封入されているとよい。
【００１３】
好ましくは、冷却剤部は、内壁面に沿って横長に形成された複数の小袋を、内壁面の上部から下部に向かうに従って縦に連ねた形状を有し、各小袋内に冷却剤が封入されているとよい。
【００１４】
好ましくは、冷却剤部は、内壁面の上部に形成された取り付け口に挿入される複数のスナップを含むとよい。
【００１５】
好ましくは、冷却剤部は、内壁面の上端辺に引っ掛けられる複数のフックを含むとよい。
【００１６】
好ましくは、冷却剤部は、本体に形成された突出部に挿入される複数の穴を含むとよい。
【発明の効果】
【００１７】
本発明によれば、内壁面の上部から垂れ下がるように取り外し可能に取り付けられる冷却剤部を、内壁面に取り付けることによって、椀状食器を冷却させることができる。冷却剤部は取り外しが可能であるので、冷却剤部だけを冷蔵庫又は冷凍庫で冷やすことができる。したがって、椀状の食器に収容されている内容物を冷却して、乳幼児等にとって食べやすくするための食器内容物冷却器具であって、冷却剤の冷却が容易な食器内容物冷却器具が提供されることとなる。また、椀状食器を食器内容物冷却器具に後載せすることとなるので、複数の椀状食器を冷ましたければ、冷めた椀状食器を取り外し、その後、別の椀状食器を載せればよい。また、適切な温度に冷めたら、椀状食器を取り外しておくことが簡単にできるので、従来の器具を単に転用した場合に生じる食品が冷めすぎるという問題を解決することができる。
【００１８】
特に、内壁面に切欠部を設ければ、椀状食器の取り外しが容易となり、利便性が向上する。
【００１９】
加えて、筒状部を底面から立脚させることによって、サイズの異なる椀状食器を取り付けたとしても、当該筒上部に設けられた空間に椀状食器の底面が入り込むことになる。よって、サイズの異なる椀状食器であっても、冷却することが可能な食器内容物冷却器具が提供されることとなる。また、筒状部を設けることによって、椀状食器の底が宙に浮くことになるので、椀状食器の側面に冷却剤部が密着し、冷めやすさが向上する。
【００２０】
冷却剤部を構成する小袋を縦方向に形成したり、横長に形成したりすることによって、冷却剤部が凍ったとしても、内壁面に沿った形状が維持されることとなる。また、冷蔵庫や冷凍庫に収容する際、冷却剤部を折り畳むことも可能となる。
【００２１】
冷却剤部を内壁面に取り付ける構造としては、スナップやフック、突出部と穴などの簡易的なものであればよく、コストダウンや手入れの容易さの面で、本発明の食器内容物冷却器具は、有益である。
【００２２】
本発明のこれらおよび他の目的、特徴、局面、効果は、添付図面と照合して、以下の詳細な説明から一層明らかになるであろう。
【発明を実施するための最良の形態】
【００２３】
（第１の実施形態）
図１は、本発明の第１の実施形態に係る食器内容物冷却器具１を示す斜視図である。図１において、食器内容物冷却器具１は、すり鉢状に形成された本体上部２と、略筒状の本体下部３と、冷却剤部４とを備える。本体上部２は、別体の椀状食器（図示せず）を出し入れ可能にするために略円状に設けられた上部開口部５ａと、上部開口部５ａから底面６に向かうに従ってすり鉢状に傾斜した内壁面５と、取っ手部８とを含む。本体下部３は、内壁面５の下端で、内壁面５を支える筒状部材である。内壁面５は、上端部から下方にかけて切り欠かれた切欠部７を有する。切欠部７は、指先大の大きさを有する。切欠部７は、本体下部３の一部分にも設けられている。本体上部２及び本体下部３は、たとえば、樹脂成形によって製造される。
【００２４】
冷却剤部４は、内壁面５に沿った形状を有している。内壁面５の上端で矩形に突出した折り曲げ部分には、複数の取り付け口９が設けられている。取り付け口９は、大小二つの略円形口が連なることによって、形成されている。
【００２５】
図２は、冷却剤部４の構造を示す正面図である。冷却剤部４は、内壁面５に沿って縦方向に形成された複数の小袋１１を、内壁面５に沿って横に連ねた形状を有している。各小袋１１の辺縁は、シールされており、水やポリアクリル酸ナトリウムなどを含む冷却剤が封入されている。冷却剤部４の上部弧辺１２は、スナップ１０を取り付ける可撓性の短冊部１３を有する。スナップ１０は、取り付け口９に設けられた略円形口に取り外し可能であり、胴部中心が凹んだ形状を有する略円柱状の部材である。スナップ１０の凹み部分の外径は、取り付け口９の小さい方の略円形口の内径に略等しい。スナップ１０の上部及び下部の外径は、取り付け口９の大きい方の略円形口の内径に略等しい。各スナップ１０が、それぞれ、対応する取り付け口９に取り付けられることによって、冷却剤部４は、内壁面５の上部から垂れ下がるように、取り外し可能に取り付けられることとなる。冷却剤部４を内壁面５から取り外すことができるので、冷却剤部４だけを冷蔵庫又は冷凍庫で冷やし、冷やされた冷却剤部４を再度、内壁面５に取り付けることができる。冷却剤部４は、縦方向の複数の小袋１１に分かれているので、折り畳むことが可能である。さらに、縦方向の複数の小袋１１は、それぞれ、辺縁でシールされているので、冷却剤部４を冷凍庫で凍らしたとしても、内壁面５に沿うような形状が維持される。
【００２６】
図３は、図１におけるＡ−Ａ面での断面図である。図３（ａ）は、大きい椀状の食器１４ａを入れたときの断面図である。図３（ｂ）は、小さい椀状の食器１４ｂを入れたときの断面図である。冷却剤部４は内壁面５に沿うような形状を有しており、かつ、略筒状の本体下部３に設けられた空間３ａが存在するので、大きい椀状の食器１４ａを入れたとしても、食器１４ａの外側面に沿うように、冷却部材４が密着する。また、小さい椀状の食器１４ｂを入れたとしても、食器１４ｂの外側面に沿うように、冷却部材４が密着する。したがって、本体下部３の上部開口のサイズを小さめの椀状の食器の底面サイズよりも大きくしておけば、ほとんどの椀状食器に用いることが可能な食器内容物冷却器具１が提供される。
【００２７】
このように、第１の実施形態によれば、内壁面５に沿った形状を有し、内壁面５の上部から垂れ下がるように、取り外し可能に取り付けられる冷却剤部４を設けることによって、冷却剤部４だけを取り外して、冷蔵庫又は冷凍庫で冷やすことができる。椀状食器に入った熱い食品を冷ましたい場合、冷やされた冷却剤部４を取り付け、上部開口部５ａから当該椀状食器を入れて、当該食品を冷ますことができる。したがって、冷却剤の冷却が容易な食器用内容物冷却器具１が提供されることとなる。
【００２８】
また、切欠部７を設けることによって、椀状食器の取り出しが容易となる。したがって、適当な温度に食品が冷めたとき、椀状食器を取り外しておけば、食品が冷め過ぎるということを防止することができる。従来の器具を用いた場合、容器と冷却剤とが一体になっていたので、適当な温度以上に食品が冷めるのを防止することはできなかった。また、複数の椀状食器に食品が入っている場合、ある椀状食器の食品が冷めた後、同じ食器内容物冷却器具１を用いて、別の椀状食器の食品を冷ますといった使用方法も考えられる。
【００２９】
なお、切欠部７が設けられていなくても、椀状食器を取り外すことは可能である。切り欠け部７が設けられていない食器内容物冷却器具を用いる場合、内壁面の全面に渡って繋がるように（たとえば、わっか状に）冷却剤部が設けられていても良いし、図１のように、内壁面の一部にだけ冷却剤部が設けられていても良い。
【００３０】
さらに、筒状の本体下部３を設けることによって、椀状食器の大きさに限定されることなく、椀状食器の外側面に冷却剤部４を密着させることが可能となり、あらゆるサイズの椀状食器の冷却に適した食器内容物冷却器具１が提供されることとなる。また、筒状の本体下部３を設けることによって、椀状食器の底が宙に浮くことになるので、椀状食器の側面に冷却剤部４が密着し、冷めやすさが向上する。なお、使用する椀状食器のサイズが限定されているのであれば、筒状の本体下部３は、設けられていなくても良い。
【００３１】
また、冷却剤部４は、縦方向に形成された複数の小袋からなるので、凍ったとしても、内側面５に沿った形状を維持しやすく、冷却がより容易な食器内容物冷却器具１が提供されることとなる。
【００３２】
なお、スナップ１０の形状は、特に限定されるものではなく、周知のあらゆるスナップの形状を採用し得る。
【００３３】
（第２の実施形態）
図４は、本発明の第２の実施形態に係る食器内容物冷却器具１４の斜視図である。なお、図４において、冷却剤部の記載は省略されている。図４において、第１の実施形態と同様の機能を有する部分については、同一の参照符号を付し、説明を省略する。第２の実施形態では、取り付け口９ａの位置が、第１の実施形態と異なる。図４に示すように、第２の実施形態では、取り付け口９ａは、内壁面の上部に形成された穴である。取り付け口９ａは、第１の実施形態と同様、大小の略円形口からなる。このように、冷却剤部を取り付ける構造は、特に限定されず、冷却剤部は、内壁面の上部から垂れ下がるように、取り外し可能に取り付けられればよい。第２の実施形態に示すような構造にすることによって、構造が簡素化され、コストダウンの他、手入れが容易な食器内容物冷却器具１４が提供されることとなる。
【００３４】
（第３の実施形態）
図５は、本発明の第３の実施形態に係る冷却剤部４ａの正面図である。図５において、第１の実施形態に係る冷却剤部４と同様の機能を有する部分については、同一の参照符号を付し、説明を省略する。第３の実施形態において、冷却剤部４ａは、内壁面に沿って横長に形成された複数の小袋１１ａを、内壁面の上部から下部に向かうに従って縦に連ねた形状を有している。各小袋１１ａは、上下に弧状にシールされている。各小袋１１ａの中には、冷却剤が封入されている。各小袋１１ａの長さは、内側面の内周に応じて決められる。このように、冷却剤部の構造は、特に限定されない。冷却剤部は、内壁面に沿うような形状を有していれば、椀状食器を冷却することができる。
【００３５】
なお、図５に示す複数の小袋１１ａは、それぞれ、端が連結されていてもよい。すなわち、直径の異なるドーナッツ上の小袋が縦に連なって連結され、冷却剤部を構成してもよい。この場合、食器内容物冷却器具において、切欠部は、設けられなくてもよい。
【００３６】
（第４の実施形態）
図６は、本発明の第４の実施形態に係る冷却剤部４ｂの正面図である。図６において、第１の実施形態に係る冷却剤部４と同様の機能を有する部分については、同一の参照符号を付し、説明を省略する。第４の実施形態において、冷却剤部４ｂは、内壁面に沿って形成された一つの小袋１１ｂからなる。このように、冷却剤部の構造は、特に限定されない。冷却剤部は、内壁面に沿うような形状を有していれば、椀状食器を冷却することができる。
【００３７】
なお、図６に示す小袋１１ｂは、両端が連結されていてもよい。すなわち、冷却剤部は、逆楕円錐状の筒状に形成されていてもよい。この場合、食器内容物冷却器具において、切欠部は、設けられなくてもよい。
【００３８】
（第５の実施形態）
図７は、本発明の第５の実施形態に係る食器内容物冷却器具１５の斜視図である。図７において、第１の実施形態に係る食器内容物冷却器具１と同様の機能を有する部分については、同一の参照符号を付し、説明を省略する。第５の実施形態において、冷却剤部４ｃは、内壁面５の上端辺に引っ掛けられる複数のフック１３ａを含む。なお、複数のフック１３ａを用いる冷却剤部の構成として、第３及び４の実施形態に示す構成も採用可能である。このように、冷却剤部を取り付ける構造は、特に限定されず、冷却剤部は、内壁面の上部から垂れ下がるように、取り外し可能に取り付けられればよい。冷却剤部４ｃの取り付け構造にフックを用いることによって、食器内容物冷却器具１５の構造が簡易になり、コストダウンの他、手入れが容易になる。
【００３９】
（第６の実施形態）
図８は、本発明の第６の実施形態に係る食器内容物冷却器具の一部を示す分解斜視図である。図８に示すように、冷却剤部４の短冊部１３は、穴１３ｃを有する。なお、図８に示していない他の短冊部１３も、穴１３ｃを有する。本体上部２の上端で矩形に突出した折り曲げ部分には、突出部１３ｄが形成されている。なお、図８に示していない他の折り曲げ部分についても、突出部１３ｄが形成されている。図８において、突出部１３ｄは、折り曲げ部分に向かうにつれて外径が小さくなる形状を有しているとする。穴１３ｃの内径は、突出部１３ｄの最大外径と略同一である。穴１３ｃに、突出部１３ｄを挿入することによって、冷却剤部４が内壁面５の上部から垂れ下がるように、取り外し可能に取り付けられる。
【００４０】
なお、突出部１３ｄは、円柱状であってもよい。また、突出部１３ｄの形状やサイズ、及び穴１３ｃの形状やサイズは、特に限定されるものではなく、冷却剤部４が内壁面５の上部から垂れ下がるように、取り外し可能に取り付けられる構造であればよい。
【００４１】
また、突出部１３ｄが形成される位置は特に限定されない。たとえば、内壁面５の表面に突出部が形成されていてもよいし、本体の外側面に突出部が形成され短冊部１３が折れ曲がるようにして取り付けられても良い。突出部は、本体のいずれかの位置に形成されていれば、冷却剤部４が内壁面５の上部から垂れ下がるように、取り付けることが可能となる。
【００４２】
第６の実施形態に示すような構造で、冷却剤部４を取り外し可能に取り付けると、食器内容物冷却器具の構造が簡易になり、コストダウンの他、手入れが容易になる。
【００４３】
なお、上記に示した全ての実施形態は、それぞれ組み合わせて実施することが可能である。
【００４４】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００４５】
本発明に係る食器内容物冷却器具は、椀状の食器に収容されている内容物を冷却して、乳幼児等にとって食べやすくすることができる。
【図面の簡単な説明】
【００４６】
【図１】本発明の第１の実施形態に係る食器内容物冷却器具１を示す斜視図
【図２】冷却剤部４の構造を示す正面図
【図３】図１におけるＡ−Ａ面での断面図
【図４】本発明の第２の実施形態に係る食器内容物冷却器具１４の斜視
【図５】本発明の第３の実施形態に係る冷却剤部４ａの正面図
【図６】本発明の第４の実施形態に係る冷却剤部４ｂの正面図
【図７】本発明の第５の実施形態に係る食器内容物冷却器具１５の斜視図
【図８】本発明の第６の実施形態に係る食器内容物冷却器具の一部を示す分解斜視図
【符号の説明】
【００４７】
１，１４，１５  食器内容物冷却器具
２  本体上部
３  本体下部
４，４ａ，４ｂ  冷却剤部
５  内壁面
５ａ  上部開口部
６  底面
７  切欠部
８  取っ手部
９，９ａ  取り付け口
１０  スナップ
１１，１１ａ，１１ｂ  小袋
１２  上部弧辺
１３  短冊部
１３ａ  フック
１３ｃ  穴
１３ｄ  突出部
１４ａ  大きい椀状の食器
１４ｂ  小さい椀状の食器
【図１】
2009268587.tif 000003
【図２】
2009268587.tif 000004
【図３】
2009268587.tif 000005
【図４】
2009268587.tif 000006
【図５】
2009268587.tif 000007
【図６】
2009268587.tif 000008
【図７】
2009268587.tif 000009
【図８】
2009268587.tif 000010
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
別体の椀状食器に収容された内容物を冷却するための食器内容物冷却器具であって、
前記椀状食器を出し入れするために略円状に設けられた上部開口部と、
前記上部開口部から底面に向かって形成された内壁面と、
前記内壁面に取り外し可能に設けられる冷却剤部とを備える、食器内容物冷却器具。
【請求項２】
前記内壁面は、前記上部開口部から底面に向かうに従ってすり鉢状に傾斜しており、
前記冷却剤部は、前記内壁面に沿った形状を有し、前記内壁面の上部から垂れ下がるように、取り外し可能に取り付けられていることを特徴とする、請求項１に記載の食器内容物冷却器具。
【請求項３】
前記内壁面は、上端部から切り欠かれた切欠部を含むことを特徴とする、請求項２に記載の食器内容物冷却器具。
【請求項４】
底面から筒状に立脚し、前記内壁面の下端で前記内壁面を支える筒状部をさらに備える、請求項１〜３のいずれかに記載の食器内容物冷却器具。
【請求項５】
前記冷却剤部は、前記内壁面に沿って縦方向に形成された複数の小袋を、前記内壁面に沿って横に連ねた形状を有し、前記各小袋内に冷却剤が封入されていることを特徴とする、請求項１〜４のいずれかに記載の食器内容物冷却器具。
【請求項６】
前記冷却剤部は、前記内壁面に沿って横長に形成された複数の小袋を、前記内壁面の上部から下部に向かうに従って縦に連ねた形状を有し、前記各小袋内に冷却剤が封入されていることを特徴とする、請求項１〜４のいずれかに記載の食器内容物冷却器具。
【請求項７】
前記冷却剤部は、前記内壁面の上部に形成された取り付け口に挿入される複数のスナップを含むことを特徴とする、請求項１〜４のいずれかに記載の食器内容物冷却器具。
【請求項８】
前記冷却剤部は、前記内壁面の上端辺に引っ掛けられる複数のフックを含むことを特徴とする、請求項１〜４のいずれかに記載の食器内容物冷却器具。
【請求項９】
前記冷却剤部は、本体に形成された突出部に挿入される複数の穴を含むことを特徴とする、請求項１〜４のいずれかに記載の食器内容物冷却器具。
【手続補正２】
【補正対象書類名】明細書
【補正対象項目名】０００９
【補正方法】変更
【補正の内容】
【０００９】
上記課題を解決するために、本発明は、以下のような特徴を有する。本発明は、別体の椀状食器に収容された内容物を冷却するための食器内容物冷却器具であって、椀状食器を出し入れするために略円状に設けられた上部開口部と、上部開口部から底面に向かって形成された内壁面と、内壁面に取り外し可能に設けられる冷却剤部とを備える。好ましくは、内壁面は、上部開口部から底面に向かうに従ってすり鉢状に傾斜しており、冷却剤部は、内壁面に沿った形状を有し、内壁面の上部から垂れ下がるように、取り外し可能に取り付けられているとよい。
【手続補正３】
【補正対象書類名】明細書
【補正対象項目名】００１７
【補正方法】変更
【補正の内容】
【００１７】
本発明によれば、内壁面に設けられた冷却剤部によって、椀状食器を冷却させることができる。または、内壁面の上部から垂れ下がるように取り外し可能に取り付けられる冷却剤部を、内壁面に取り付けることによって、椀状食器を冷却させることができる。冷却剤部は取り外しが可能であるので、冷却剤部だけを冷蔵庫又は冷凍庫で冷やすことができる。したがって、椀状の食器に収容されている内容物を冷却して、乳幼児等にとって食べやすくするための食器内容物冷却器具であって、冷却剤の冷却が容易な食器内容物冷却器具が提供されることとなる。また、椀状食器を食器内容物冷却器具に後載せすることとなるので、複数の椀状食器を冷ましたければ、冷めた椀状食器を取り外し、その後、別の椀状食器を載せればよい。また、適切な温度に冷めたら、椀状食器を取り外しておくことが簡単にできるので、従来の器具を単に転用した場合に生じる食品が冷めすぎるという問題を解決することができる。